(57)【要約】【課題】  意匠性を損なわずに安価に温度測定機能を付加した携帯電話機等の携帯アンテナ機器を提供すること。【解決手段】  携帯電話機は、２種類の異なる金属材料２，３の一端部（先端部）どうしを接合してロッド状に形成されたアンテナ部１と、各金属材料２，３の他端部に接続された高周波回路部４および温度測定回路部５と、高周波回路部４や温度測定回路部５等が接続されている制御部６と、これらの高周波回路部４や温度測定回路部５、制御部６等を内蔵しているハウジング７と、制御部６に接続された表示部８や入力部９や電源部１０等を備えている。アンテナ部１を構成する２種類の金属材料２，３は熱電対を形成しており、このアンテナ部１の前記接合部位の温度が温度測定回路部５によって測定されると共に、表示部８に表示されるようになっている。【選択図】  図１
2005323072.tif 000002
【特許請求の範囲】
【請求項１】
２種類の異なる金属材料の一端部どうしを接合してロッド状に形成されたアンテナ部と、該アンテナ部に接続された高周波回路部と、前記アンテナ部に接続された温度測定回路部と、前記高周波回路部および前記温度測定回路部に接続された制御部と、該制御部に接続された表示部とを備え、
前記アンテナ部を構成する前記２種類の金属材料が熱電対を形成しており、該アンテナ部の前記接合部位の温度が前記温度測定回路部によって測定されると共に前記表示部に表示されるようにしたことを特徴とする携帯アンテナ機器。
【請求項２】
請求項１の記載において、前記２種類の金属材料の一方が鉄または銅またはニッケル・クロム合金からなり、かつ他方が銅・ニッケル合金からなることを特徴とする携帯アンテナ機器。
【請求項３】
請求項１または２の記載において、前記高周波回路部が送受信回路を含み、携帯電話機として使用されることを特徴とする携帯アンテナ機器。
【発明の詳細な説明】
【技術分野】
【０００１】
本発明は、アンテナ部や高周波回路部や表示部を備えた携帯電話機等の携帯アンテナ機器に係り、特に、体温等の温度を測定する機能を付加した携帯アンテナ機器に関する。
【背景技術】
【０００２】
携帯電話機は今日広く普及している代表的な携帯アンテナ機器であるが、最近、通話や通信だけでなく体温測定が行えるようにして付加価値を高めた携帯電話機が提案されている（例えば、特許文献１参照）。かかる従来の携帯電話機は、ハウジング（筐体）の外部に露出するスピーカ部等に赤外線温度センサを組み込んでセンサ部となし、このセンサ部を人体の耳孔に挿入することによって体温を測定できるようになっている。つまり、センサ部から導出されるリード線が携帯電話機に内蔵されている回路基板に接続されており、この回路基板には制御部を構成する各種電子部品が実装されているので、操作キー等を操作してセンサ部を動作させることにより体温の測定が行えると共に、測定した温度データを表示部（ディスプレイ）に表示したり記憶回路に保存できるようになっている。
【特許文献１】特開２００２−２７０５１（第３−４頁、図３）
【発明の開示】
【発明が解決しようとする課題】
【０００３】
上述した従来の体温測定機能付き携帯電話機は、専用の体温計を携行しなくても任意の場所でいつでも体温を測定でき、体温データの管理も容易に行えるため、携帯電話機の付加価値を高めるうえで有効であるが、ハウジングの外部で体温測定に好適な場所に赤外線温度センサ等の専用の温度センサを別途組み込まねばならないため、意匠性に悪影響を及ぼしやすく、しかも部品コストが不所望に増大しやすいという問題があった。
【０００４】
本発明は、このような従来技術の実情に鑑みてなされたもので、その目的は、意匠性を損なわずに安価に温度測定機能を付加した携帯電話機等の携帯アンテナ機器を提供することにある。
【課題を解決するための手段】
【０００５】
上述した目的を達成するため、本発明の携帯アンテナ機器では、２種類の異なる金属材料の一端部どうしを接合してロッド状に形成されたアンテナ部と、該アンテナ部に接続された高周波回路部と、前記アンテナ部に接続された温度測定回路部と、前記高周波回路部および前記温度測定回路部に接続された制御部と、該制御部に接続された表示部とを備え、前記アンテナ部を構成する前記２種類の金属材料が熱電対を形成しており、該アンテナ部の前記接合部位の温度が前記温度測定回路部によって測定されると共に前記表示部に表示されるように構成した。
【０００６】
このように構成された携帯アンテナ機器は、２種類の異なる金属材料の一端部どうしを接合してなるロッド状のアンテナ部が熱電対を兼ねているため、アンテナ部に赤外線温度センサ等の専用の温度センサを別途追加することなく体温等の温度測定が行える。また、アンテナ部の形状や大きさを通常のものと比べて特に変更する必要もない。したがって、意匠性を損なうことなく安価に温度測定機能が付加できる。
【０００７】
かかる構成の携帯アンテナ機器は、例えば、前記２種類の金属材料の一方が鉄または銅またはニッケル・クロム合金からなり、かつ他方が銅・ニッケル合金からなることが好ましく、これによりアンテナとしても熱電対としても良好な性能が期待できる。
【０００８】
また、かかる構成の携帯アンテナ機器は、前記高周波回路部が送受信回路を含み、携帯電話機として使用されることが特に好ましい。
【発明の効果】
【０００９】
本発明の携帯アンテナ機器は、アンテナ部が熱電対を兼ねているため、アンテナ部に専用の温度センサを別途追加することなく体温等の温度測定が行え、アンテナ部の形状や大きさを通常のものと比べて特に変更する必要もない。それゆえ、意匠性を損なわずに安価に温度測定機能を付加した携帯電話機等の携帯アンテナ機器を提供することができる。
【発明を実施するための最良の形態】
【００１０】
実施の形態を図面を参照して説明すると、図１は本発明の実施形態例に係る携帯電話機の回路構成を示すブロック図、図２は該携帯電話機の外観図である。
【００１１】
これらの図に示す携帯電話機は、伸縮可能なロッド状のアンテナ部１が熱電対を兼ねているため、通話や通信の用途以外に体温等を測定する温度測定機として利用できるようになっている。すなわち、この携帯電話機は、２種類の異なる金属材料２，３の一端部（先端部）どうしを接合して熱電対を形成しているアンテナ部１と、各金属材料２，３の他端部に接続された高周波回路部４と、同じく各金属材料２，３の他端部に接続された温度測定回路部５と、高周波回路部４や温度測定回路部５等が接続されている制御部６と、これらの高周波回路部４や温度測定回路部５、制御部６等を内蔵しているハウジング７と、制御部６に接続された表示部８や入力部９や電源部１０等を備えている。
【００１２】
アンテナ部（熱電対）１を構成している一方の金属材料２は鉄または銅またはニッケル・クロム合金からなり、他方の金属材料３は銅・ニッケル合金からなる。これら２種類の金属材料２，３の一端部どうしは半田付け等により接合されている。高周波回路部４には送受信回路が配設されているため、送信と受信が可能である。温度測定回路部５にはＡ／Ｄ変換器が配設されており、２種類の金属材料２，３の接合部位である一端部の温度を他端部との間に生じる起電力等に基づいて測定し、これをデジタル信号として制御部６へ出力可能である。制御部６には、ＭＰＵ等の演算処理装置や、温度測定回路部５のＯＮ／ＯＦＦ制御を行う切換えスイッチ等が配設されている。表示部（ディスプレイ）８はＬＣＤユニットからなり、画像情報や文字情報が表示される。入力部９には各種の操作キー９ａ，９ｂ等が配設されている。
【００１３】
このように構成された携帯電話機は、通常の携帯電話機と同様にアンテナ部１や高周波回路部４、制御部６、表示部８、入力部９等を備えているため、通話や通信が行える。また、アンテナ部１が熱電対を兼ねており、この熱電対に温度測定回路部５が接続されていることから、入力部９の所定の操作キー（例えば操作キー９ｂ）を操作して制御部６の前記切換えスイッチをＯＮさせた後、アンテナ部１の先端部（金属材料２，３の接合部位）を人体の耳孔に挿入することにより、耳孔内の温度（体温）と同等になるアンテナ部１の該先端部の温度を温度測定回路部５によって測定することができる。そして、測定された温度データは制御部６へ出力されて、図２に示すように表示部８に表示されると共に、必要に応じて記憶回路（図示せず）に保存されるようになっている。また、体温に限らず、温度を測定したい場所にアンテナ部１の先端部を配置させることにより、気温や室温や検出対象の内部温度等を測定して表示することもできる。
【００１４】
なお、ロッド状のアンテナ部１は伸縮可能なので、使用者はアンテナ部１を所望の長さに設定して温度を測定することにより、耳孔等へ安全に挿入できると共に、狭隘なスペース内の温度測定であっても簡単かつ確実に行える。
【００１５】
上述したように本実施形態例にあっては、２種類の異なる金属材料２，３の一端部どうしを接合してなるロッド状のアンテナ部１が熱電対を兼ねているため、このアンテナ部１に赤外線温度センサ等の専用の温度センサを別途追加することなく体温等の温度測定が行える。また、アンテナ部１の形状や大きさを通常のものと比べて特に変更する必要もない。したがって、意匠性を損なうことなく安価に温度測定機能を付加した携帯電話機が得られる。
【００１６】
なお、アンテナ部１を構成する金属材料２，３の種類は本実施形態例に限定されるものではなく、アンテナとしても熱電対としても良好な性能が得られるものであれば別の金属材料を選択してもよい。また、本発明が携帯電話機以外の携帯アンテナ機器、例えばＰＤＡ（携帯情報端末）等にも適用できることは言うまでもない。
【図面の簡単な説明】
【００１７】
【図１】本発明の実施形態例に係る携帯電話機の回路構成を示すブロック図である。
【図２】該携帯電話機の外観図である。
【符号の説明】
【００１８】
１  アンテナ部（熱電対）
２，３  金属材料
４  高周波回路部
５  温度測定回路部
６  制御部
８  表示部
９  入力部
【図１】
2005323072.tif 000003
【図２】
2005323072.tif 000004